(57)【要約】【課題】操作パネルの画面サイズや画素数を増やさず、ジャム時に滞留用紙などプリンタ内の位置を的確に知らせることのできる操作パネル表示方式を提供する。【解決手段】操作パネルにプリンタ全体の画像を表示するとき、プリンタの構成に応じた基本サイズの画像とその画像の表示位置と画像サイズを保持するテーブルを格納する格納エリアを持ち、現在のプリンタの構成と操作パネルの表示画面サイズから画像の倍率を求めて、各部品の座標情報を求めて表示することを特徴とする。【選択図】図４
2009190288.tif 000002
【特許請求の範囲】
【請求項１】
外付けの装置が接続可能で、画像を表示できる操作パネルと、前記操作パネルを制御して前記プリンタの現在の構成が認識できる制御部を有するプリンタにおいて、前記操作パネルにプリンタ全体の画像を表示するとき、前記プリンタの構成に応じた基本サイズの画像とその画像の表示位置と画像サイズを保持するテーブルを格納する格納エリアを持ち、現在の前記プリンタの構成と前記操作パネルの表示画面サイズから画像の倍率を求めて、各部品の座標情報を求めて表示することを特徴とするプリンタの操作パネル表示方式。
【請求項２】
請求項１記載のプリンタの操作パネル表示方式において、操作入力に応じて前記操作パネルの画面とプリンタの表示サイズが切り替える構成になっていることを特徴するプリンタの操作パネル表示方式。
【発明の詳細な説明】
【技術分野】
【０００１】
本発明は、外付け装置を各種取り付けられるプリンタにおける操作パネル用のプリンタの表示に関する。
【背景技術】
【０００２】
外付けの装置が多く付けられるプリンタでは、印刷時にプリンタ内に複数の用紙が有り、ジャム発生時の滞留用紙の排除が困難となってきている。給紙部や排紙部の数も多く紙無しや印刷済み用紙の取り出しのときも給紙部や排紙部の特定に時間がかかる。消耗品の交換時も、交換すべき部品や部位の数が増えプリンタの構成、消耗品の交換も場所の特定が難しくなっている。問題が発生して作業が必要になったとき、滞留用紙の位置や、排紙部からの印刷済み用紙の取り出し、交換すべき消耗品の位置を操作パネルに表示し、操作性の向上を図っていた。
【０００３】
たとえば、特許文献１には、画面上でエラー部位の表示色を変える方法について記載されている。
【０００４】
【特許文献１】特開２００２−２３６５７３号公報
【発明の開示】
【発明が解決しようとする課題】
【０００５】
しかしながら、特許文献１にはエラー部位の表示色を変える方法だけでは、エラーに対処し易いとは必ずしもいえなかった。
【０００６】
本発明の目的は、操作パネルの画面サイズや画素数を増やさず基本となる画像データも増やすことなしに、表示方法を工夫することで、ジャム時に滞留用紙や、給紙部への用紙補給や、排紙部からの用紙の取り出し、消耗品の交換が必要になったとき、作業者にプリンタ内の位置を的確に知らせることのできるプリンタの操作パネル表示方式を提供することにある。
【課題を解決するための手段】
【０００７】
前記目的を達成するため本発明の第１の手段は、外付けの装置が接続可能で、画像を表示できる操作パネルと、前記操作パネルを制御して前記プリンタの現在の構成が認識できる制御部を有するプリンタにおいて、前記操作パネルにプリンタ全体の画像を表示するとき、前記プリンタの構成に応じた基本サイズの画像とその画像の表示位置と画像サイズを保持するテーブルを格納する格納エリアを持ち、現在の前記プリンタの構成と前記操作パネルの表示画面サイズから画像の倍率を求めて、各部品の座標情報を求めて表示することを特徴とするものである。
【０００８】
本発明の第２の手段は前記第１の手段において、操作入力に応じて前記操作パネルの画面とプリンタの表示サイズが切り替える構成になっていることを特徴としている。
【発明の効果】
【０００９】
本発明によれば、プリンタの構成によらず操作パネルでプリンタ全体の画像を表示するとき使用する画面数を増やさずに行なうことができる。また、プリンタの一部分の拡大表示と全体表示を組み合わせて、操作時の操作部位の確認時の効率を上げることができる。
【発明を実施するための最良の形態】
【００１０】
本発明はプリンタの構成と、各外付け装置の画面上のサイズ、表示画面のサイズから、表示画像の拡大率を求め、操作パネルの表示に最適な大きさで画像を表示する。また、各装置内滞留用紙の位置やの交換部品の位置の表示座標も、この倍率とプリンタ構成ごとの位置情報から求め表示する構成になっている。
【００１１】
次に図をもとに本発明の１実施例を説明する。図１は、本発明の実施例に係るプリンタの構成例を示すブロック図である。
【００１２】
この実施例に係るプリンタは、印刷部１２０、給紙部１３０、排紙部１４０、制御部１５０、操作パネル１１０からなる基本構成のプリンタ本体１００と、拡張給紙装置２００が最大２個、拡張排紙装置３００が最大２個、ステープル処理装置５００か製本処理装置４００かどちらかがオプションとして付く構成になっている。
【００１３】
本実施例の場合プリンタの構成は以下の２７通りの組み合わせが存在する。以下にそれを示す。
１．プリンタ本体のみ
２．プリンタ本体＋拡張給紙装置
３．プリンタ本体＋拡張給紙装置＋拡張給紙装置
４．拡張排紙装置＋プリンタ本体
５．拡張排紙装置＋プリンタ本体＋拡張給紙装置
６．拡張排紙装置＋プリンタ本体＋拡張給紙装置＋拡張給紙装置
７．拡張排紙装置＋拡張排紙装置＋プリンタ本体
８．拡張排紙装置＋拡張排紙装置＋プリンタ本体＋拡張給紙装置
９．拡張排紙装置＋拡張排紙装置＋プリンタ本体＋拡張給紙装置＋拡張給紙装置
１０．ステープル処理装置＋プリンタ本体
１１．ステープル処理装置＋プリンタ本体＋拡張給紙装置
１２．ステープル処理装置＋プリンタ本体＋拡張給紙装置＋拡張給紙装置
１３．ステープル処理装置＋拡張排紙装置＋プリンタ本体
１４．ステープル処理装置＋拡張排紙装置＋プリンタ本体＋拡張給紙装置
１５．ステープル処理装置＋拡張排紙装置＋プリンタ本体＋拡張給紙装置＋拡張給紙装置
１６．ステープル処理装置＋拡張排紙装置＋拡張排紙装置＋プリンタ本体
１７．ステープル処理装置＋拡張排紙装置＋拡張排紙装置＋プリンタ本体＋拡張給紙装置
１８．ステープル処理装置＋拡張排紙装置＋拡張排紙装置＋プリンタ本体＋拡張給紙装置＋拡張給紙装置
１９．製本処理装置＋プリンタ本体
２０．製本処理装置＋プリンタ本体＋拡張給紙装置
２１．製本処理装置＋プリンタ本体＋拡張給紙装置＋拡張給紙装置
２２．製本処理装置＋拡張排紙装置＋プリンタ本体
２３．製本処理装置＋拡張排紙装置＋プリンタ本体＋拡張給紙装置
２４．製本処理装置＋拡張排紙装置＋プリンタ本体＋拡張給紙装置＋拡張給紙装置
２５．製本処理装置＋拡張排紙装置＋拡張排紙装置＋プリンタ本体
２６．製本処理装置＋拡張排紙装置＋拡張排紙装置＋プリンタ本体＋拡張給紙装置
２７．製本処理装置＋＋拡張排紙装置＋拡張排紙装置＋プリンタ本体＋拡張給紙装置＋拡張給紙装置
本実施例の場合、プリンタの印刷動作の概要は以下のとおりとなる。
【００１４】
給紙部１３０が拡張給紙装置２００に設定された印刷用紙を取り出し、印刷部１３０で印刷データを印刷用紙に印刷し、印刷済みの用紙を排紙部１４０が拡張排紙装置３００に排紙する。
【００１５】
ステープル動作が必要なときは、ステープル装置４００に印刷後の用紙を送りステープル処理し、製本動作が必要なときには、製本装置５００に印刷済みの用紙を送り製本動作を行なう。
【００１６】
制御部１５０は、上位装置からのデータを受付データに変換し、印刷部１２０に送る。また給紙動作、印刷動作、排紙動作、ステープル動作、製本動作を指示し、各装置の状態を監視する。また、操作パネル表示に必要な画像やデータを格納する格納手段を有する。
【００１７】
この一連の動作で給紙動作、印刷動作、排紙動作、ステープル動作、製本動作中に途中で用紙が正しく走行できない用紙ジャムや、用紙切れ、排紙部での用紙満杯、消耗品交換など印刷を続行できない問題が起こったとき、操作パネル１１０に必要な情報を表示し操作者に操作の要求を行なう必要がある。このとき以下に述べるような問題が生じる。
【００１８】
用紙ジャムが発生するとジャムが発生した用紙だけでなく、それに続く用紙もプリンタ内に残ることがある。これを滞留用紙という。動作を再開するためには、滞留用紙も含めてプリンタ内の用紙を取り除く必要がある。また、トナーなどの消耗品の交換、給紙部への用紙の補給や、印刷済みの用紙の排紙部からの取り出しも、給紙装置や排紙装置が複数接続されているときは操作パネルの表示によって、操作が必要な場所を確実に操作者に伝える必要がある。
【００１９】
本実施例でのプリンタ本体のみと最大構成のときの画像の概略例を図２に示す。図に示すように構成によりプリンタのサイズは大きな差が生じる。画像サイズをプリンタ本体に合わせると、最大構成時、一画面に収まらず、最大構成であるとプリンタ本体のみのとき表示サイズが小さくなってしまう。
【００２０】
この問題を解決するため、まずプリンタの画像を操作パネルに表示するとき表示サイズを操作パネル表示画素数にあわせて変え、プリンタ全体を表示させてその中で問題の部位を示す必要がある。
【００２１】
また、プリンタの画像は、各構成要素を組み合わせて作成することが可能である。こうすることで基本画像を増やさず画面サイズに合ったプリンタの画像を表示することができる。
【００２２】
プリンタの構成情報と表示画面のサイズから表示画面に収まるプリンタの倍率を求め、倍率に従って拡大した画像を表示する。拡大することで必要な情報がなくなることを抑止できる。
【００２３】
あとで述べるが、プリンタの概要を表示画面の一部に表示する場合は基本画像を縮小して使用することもできる。この場合必要な部分の拡大画像を並列で表示することにより全体画像の多少の情報の欠損は問題ない。
【００２４】
次に操作パネルの画素数と部品や外付け装置の位置の対応テーブル６００を使用して求める方法を説明する。プリンタ本体と外付け装置の位置と大きさを外付け装置毎の構成ごとにテーブル６００として持つこのテーブル６００の構成を図３に示す。
【００２５】
テーブル６００はプリンタの構成毎にその構成に部品と外付け装置の位置情報で構成されており、このテーブル６００の値と表示される画面毎の倍率から各部品の座標範囲を求める。
【００２６】
テーブル６００には、装置構成ごとのプリンタ画像の座標範囲のデータが先頭にあり、そのあとに各装置ごとにその装置の座標範囲と構成ごとの基準座標が格納されている。構成ごとの基準座標は先頭にあるプリンタ画像の座標範囲と同じ並びになっている。
【００２７】
並びの決め方は本実施例の場合、以前説明したように構成の拡張給紙装置が０〜２台接続され、拡張排紙装置が０〜２台接続され、製本処理装置とステープル処理装置のいずれかがどちらも接続されないケースを含めて接続されるので２７種類有り、テーブル６００内のプリンタ構成に対応するエントリ位置として以下の式で決めることができる。
【００２８】
エントリ位置＝先頭エントリ＋拡張給紙装置の接続台数＋３＊拡張排紙装置の接続台数＋９＊ステープル処理装置の接続台数＋９＊製本処理装置の接続台数
この式では最小構成がテーブルの先頭にくるようになる。
【００２９】
このテーブル６００から、操作パネルの画面に表示する画像の倍率を計算する方法を説明する。
【００３０】
操作パネルの画面の装置を表示する座標範囲を縦方向Ｐｙｍｉｎ〜Ｐｙｍａｘ、横方向Ｐｘｍｉｎ〜Ｐｘｍａｘとする。この値は操作パネルの画面サイズと解像度で決まる値であり、使用する操作パネルによって固定値である。
【００３１】
次に、装置構成ごとの画像サイズをテーブル６００から読み出す。最大構成の場合縦方向の範囲がｈｎ〜Ｈｎ、横方向の範囲がｗｎ〜Ｗｎとなる。倍率はプリンタの縦横の比率を変えずにプリンタ画面にプリンタの画像がおさまるようにする、具体的には以下の式で求まる縦倍率Ｍｈと横倍率Ｍｗのうち小さいほうを倍率Ｍとする。
【００３２】
Ｍｈ＝（Ｐｙｍａｘ−Ｐｙｍｉｎ）／（Ｈｎ−ｈｎ）
Ｍｗ＝（Ｐｘｍａｘ−Ｐｘｍｉｎ）／（Ｗｎ−ｗｎ）
Ｍ＝ｍｉｎ（Ｍｈ，Ｍｗ）
次に、プリンタ画像の操作パネル画面上の対応する座標範囲を求める。上記計算式で求めた倍率をＭ、標準構成画面サイズ時の部品の基準座標を（Ｐｘ，Ｐｙ）、標準構成画面の縦方向の座標範囲をｈ〜Ｈ（ｈ＜Ｈ）、標準構成画面の横方向の座標範囲をｗ〜Ｗ（ｗ＜Ｗ）、装置構成画面の実際の画面上の基準座標を（Ｂｘ，Ｂｙ）としたとき、画面全体に表示するときの画面上の座標範囲は、以下の式で求めることができる。
【００３３】
横方向：最小値Ｂｘ＋（Ｐｘ＋ｗ）×Ｍ、最大値Ｂｘ＋（Ｐｘ＋Ｗ）×Ｍ
縦方向：最小値Ｂｙ＋（Ｐｙ＋ｈ）×Ｍ、最大値Ｂｙ＋（Ｐｙ＋Ｈ）×Ｍ
また、画面の一部分に装置全体を表示するときの部品の範囲は以下の式で求めることができる。表示する画面座標の基準座標を（Ｄｘ，Ｄｙ）とすると、以下の式で求めることができる。ここでの倍率は、表示する画面サイズの範囲に対する倍率で計算する。
【００３４】
横方向：最小値Ｄｘ＋（Ｐｘ＋ｗ）×Ｍ、最大値Ｄｘ＋（Ｐｘ＋Ｗ）×Ｍ
縦方向：最小値Ｄｙ＋（Ｐｙ＋ｈ）×Ｍ、最大値Ｄｙ＋（Ｐｙ＋Ｈ）×Ｍ
画面の一部分に部品のみ表示するときその画面座標の基準座標を（Ｄｘ，Ｄｙ）とすると表示座標範囲の計算式は、以下の式で求めることができる。
【００３５】
横方向：最小値Ｄｘ＋ｗ×Ｍ、最大値Ｄｘ＋Ｗ×Ｍ
縦方向：最小値Ｄｙ＋ｈ×Ｍ、最大値Ｄｙ＋Ｈ×Ｍ
演算結果で、複数の部品の範囲が重なる場合もありえるが、画面上でも２つの部位の境界なので、優先順を決めておけば操作に支障はない。
【００３６】
次に、操作パネルの画面を操作部位と全体表示で切り替える方法について説明する。
【００３７】
プリンタに対し、操作員の操作が必要になったとき、プリンタの全体と操作が必要な個所を表示する画面において、（１）操作部制御プログラムでエンジンの状態をモニタし、プリンタのカバーがあけられたとき、カバー内部の画面を表示させる。（２）操作パネルで操作が必要な場所に触れられたとき、その部分を拡大表示させる。（１）の場合、カバーをあけたときの内部を示す画面が表示される。このとき縮小された全体も表示する。（２）の場合も、（１）と同様に、必要に応じて全体も表示させる。
【００３８】
図４は、操作パネルの画面切り替え前後の切り替え例である。プリンタ全体と２つ目の拡張排紙装置に問題の発生部位を示すマークが表示される。捜査員が画面上の２つ目の拡張排紙装置に触ると、下の画面に遷移する。するとカバー内部が大きく表示され、プリンタ全体は脇に縮小して表示される。
【００３９】
２つ目の拡張排紙装置のカバーがあいたことを検知して操作パネルの画面を切り替える方法を説明する。
【００４０】
まず、２つ目の拡張排紙装置でカバーが開けられたことを検知すると、その状態を制御部に報告する。制御部のエンジン制御部は、操作パネル制御部へ２つ目の拡張排紙装置のカバーがあけられた状態であること通知する。
【００４１】
操作パネル制御部で２つ目の拡張排紙装置の内部を表示す画面要求している状態を画面表示している状態（画面にマークがついているとき）で２つ目の拡張排紙装置のカバーが開けられたとき、操作パネルの画面で２つ目の拡張排紙装置のカバー内部の画像の表示を行なう。
【００４２】
次に、元の全体構成画面に戻る時の処理を説明する。２つ目の拡張排紙装置のカバーが閉じられたことを検知すると、その状態を制御部に報告する。制御部のエンジン制御部は、操作パネル制御部へ２つ目の拡張排紙装置のカバーがあけられた状態であること通知する。操作パネル制御部で２つ目の拡張排紙装置の内部を表示す画面を表示している状態で２つ目の拡張排紙装置のカバーが閉じられたとき、プリンタ本体のみの表示画面に戻る。
【００４３】
次に、操作パネルを触れることで、操作パネルの画面を切り替える時の処理を説明する。触れられた部分を座標で操作パネル制御部へ送る。操作パネルの動作は、２つ目の拡張排紙装置のカバーがあいたことを通知されたときと同様でよい。
【図面の簡単な説明】
【００４４】
【図１】本発明の実施例に係るプリンタの構成例を示すブロック図である。
【図２】本発明の実施例でのプリンタ本体のみと最大構成のときの画像の概略例を示す図である。
【図３】画像サイズ対応テーブルの構成例を示す図である。
【図４】操作パネルの画面切り替え前後の例を示す図である。
【符号の説明】
【００４５】
１００：プリンタ本体、１１０：操作パネル、１２０：印刷部、１３０：給紙部、１４０：排紙部、１５０：制御部。
【図１】
2009190288.tif 000003
【図２】
2009190288.tif 000004
【図３】
2009190288.tif 000005
【図４】
2009190288.tif 000006